(57)【要約】【課題】  収納時に薄さが確保される構造を有する折り畳み式携帯バッグを得る。【解決手段】  この折り畳み式携帯バッグは、折り曲げ自在な底板１と、底板１に固定され折り畳み可能な袋２とを有する。収納時（携帯時）には、折り畳まれた状態の袋２が底板１を折り曲げることで挟み込まれる。そして、底板１は、略長方形の形状を有し、袋２は、略長方形の形状の底面を有し、その底面が底板１に固定される。そして、袋２は、底面の対向する一対の辺に縁２ｄを折り重ねて折り畳み可能であって、折り畳み時の縁２ｄには縫い合わせを有さない。【選択図】  図１
2008284084.tif 000002
【特許請求の範囲】
【請求項１】
折り目で折り曲げ自在な底板と、前記底板に固定され折り畳み可能な袋とを有し、収納時には折り畳まれた状態の前記袋が前記底板を折り曲げることで挟み込まれる折り畳み式携帯バッグであって、
前記底板は、略長方形の形状を有し、
前記袋は、略長方形の形状の底面を有し、その底面が前記底板に固定され、
前記袋は、前記底面の対向する一対の辺に縁を折り重ねて折り畳み可能であって、前記縁には縫い合わせを有さないこと、
を特徴とする折り畳み式携帯バッグ。
【請求項２】
前記袋の側面における縫い合わせは、前記底面と垂直な方向でマチの中央にのみ存在し、布の２つの端部が面接触している状態で前記袋の内側を向くように縫い合わされており、
前記縫い合わせの部分は、収納時には前記縁より前記袋の内側へ配置されること、
を特徴とする請求項１記載の折り畳み式携帯バッグ。
【請求項３】
前記袋は、袋本体とその袋本体から連続する持ち手とを有し、
前記袋本体と前記持ち手との連続部分は、一様な厚さとされること、
を特徴とする請求項１または請求項２記載の折り畳み式携帯バッグ。
【請求項４】
前記持ち手は、前記袋本体から延びる一連の布で形成されることを特徴とする請求項３記載の折り畳み式携帯バッグ。
【請求項５】
前記袋の内側の面およびその面と対向する面に袋の開口部を閉じて固定する固定機構を備え、
前記固定機構は、前記袋を折り畳んだときに前記底板の折り目上から外れる位置に設置されること、
を特徴とする請求項１から請求項４のうちのいずれか１項記載の折り畳み式携帯バッグ。
【請求項６】
前記底板の折り曲げ後に、前記底板の一方の端部と他方の端部との間隔が拡がることを防止する拡がり防止機構を備えることを特徴とする請求項１から請求項５のうちのいずれか１項記載の折り畳み式携帯バッグ。
【発明の詳細な説明】
【技術分野】
【０００１】
本発明は、折り畳み式携帯バッグに関するものである。
【背景技術】
【０００２】
携帯可能なバッグが種々提案されている（例えば特許文献１参照）。このようなバッグは、使用時の状態から折り畳むことで、コンパクトになる。
【０００３】
【特許文献１】特開２００４−２３７０４６号公報
【発明の開示】
【発明が解決しようとする課題】
【０００４】
しかしながら、特許文献１のようなバッグの場合、コンパクトにはなるが、団子のように１つの塊のようになってしまう。このようなものは、収納時に手提げ鞄などに入れた場合に、化粧品やその他の携帯品に紛れやすく、瞬時に取り出すことが難しい。
【０００５】
したがって、ある程度のサイズを有し収納時に薄型の折り畳み式携帯バッグが取り出し易いと考えられる。その際、袋の布を薄くすればするほど、収納時には薄くすることができるものの、袋が破れ易くなるため、繰り返しの使用には適さない。そこで、十分強度のある布を使用しつつ、構造的に、収納時に薄さを確保することが求められる。
【０００６】
本発明は、上記の問題に鑑みてなされたものであり、収納時に薄さが確保される構造を有する折り畳み式携帯バッグを得ることを目的とする。
【課題を解決するための手段】
【０００７】
上記の課題を解決するために、本発明では以下のようにした。
【０００８】
本発明に係る折り畳み式携帯バッグは、折り目で折り曲げ自在な底板と、底板に固定され折り畳み可能な袋とを有し、収納時には折り畳まれた状態の袋が底板を折り曲げることで挟み込まれる折り畳み式携帯バッグである。底板は、略長方形の形状を有し、袋は、略長方形の形状の底面を有し、その底面が底板に固定される。そして、袋は、底面の対向する一対の辺に縁を折り重ねて折り畳み可能であって、その縁には縫い合わせを有さない。
【０００９】
また、本発明に係る折り畳み式携帯バッグは、上記の折り畳み式携帯バッグに加え、次のようにしてもよい。この場合、袋の側面における縫い合わせは、底面と垂直な方向でマチの中央にのみ存在し、布の２つの端部が、面接触している状態で袋の内側を向くように縫い合わされている。そして、縫い合わせの部分は、収納時に、縁より袋の内側へ配置される。
【００１０】
また、本発明に係る折り畳み式携帯バッグは、上記の折り畳み式携帯バッグのいずれかに加え、次のようにしてもよい。この場合、袋は、袋本体とその袋本体から連続する持ち手とを有し、袋本体と持ち手との連続部分は、一様な厚さとされる。特に、持ち手は、袋本体から延びる一連の布で形成されるようにしてもよい。
【００１１】
また、本発明に係る折り畳み式携帯バッグは、上記の折り畳み式携帯バッグのいずれかに加え、次のようにしてもよい。この場合、この折り畳み式携帯バッグは、袋の内側の面およびその面と対向する面に袋の開口部を閉じて固定する固定機構を備える。そして、固定機構は、袋を折り畳んだときに底板の折り目上から外れる位置に設置される。
【００１２】
また、本発明に係る折り畳み式携帯バッグは、上記の折り畳み式携帯バッグのいずれかに加え、次のようにしてもよい。この場合、この折り畳み式携帯バッグは、底板の折り曲げ後に、底板の一方の端部と他方の端部との間隔が拡がることを防止する拡がり防止機構を備える。
【発明の効果】
【００１３】
本発明によれば、収納時に薄さが確保される構造を有する折り畳み式携帯バッグを得ることができる。
【発明を実施するための最良の形態】
【００１４】
以下、図に基づいて本発明の実施の形態を説明する。
【００１５】
図１は、本発明の実施の形態に係る折り畳み式携帯バッグの使用時の正面図（図１（Ａ））と側面図（図１（Ｂ））である。図２は、本発明の実施の形態に係る折り畳み式携帯バッグの収納時の正面図（図２（Ａ））と側面図（図２（Ｂ））である。
【００１６】
図１および図２に示すように、この折り畳み式携帯バッグは、使用時には広げられバッグ形状となり、収納時には折り畳まれて薄い板状となる。
【００１７】
このバッグは、底板１と袋２を有する。底板１は、中央で折り曲げ自在とされ、袋２より剛性のある部材とされる。底板１は、略長方形の形状を有し、例えば、厚さ１〜２ミリメートル程度の樹脂板などとされる。また、底板１の表面を、袋２と同素材の布で覆うようにしてもよい。
【００１８】
袋２は、底板１より薄いナイロン布で形成された折り畳み可能な袋である。袋２は、底面より開口部のほうが広い台形形状とされ、開口部における正面と背面にそれぞれ持ち手２ａを有する。この実施の形態では、この持ち手２ａは、袋本体と一体で型取りされて成形されている。このため、袋本体と持ち手２ａとの連続部分２ａ１には、縫い目などはなく、布が連続している。そして、縫合部分２ａ２にて、袋本体から延びている延出部同士が縫い合わされ、環状の持ち手２ａが形成される。また、この実施の形態では、袋２は、２枚の薄いナイロン布を縫い合わせて形成されており、縫い合わせ２ｂは、マチ２ｃの中央のみに位置する。また、この実施の形態では、袋２の開口部を閉じた状態とするために、面ファスナ３が袋２の内側に配置される。面ファスナ３は、袋２の正面内側とそれに対向する背面内側に、対となって配置される。図１の場合、袋２の中央の両脇に分けて、２対の面ファスナ３が設けられている。袋２の中央を避けることで折り畳み時に折返し部分に面ファスナ３が配置されずに済む。
【００１９】
この袋２の底面は、略長方形の形状の底面を有し、ほぼ同形状の平面を有する底板１に固定される。この実施の形態では、袋２の底面外側に底板１が当てられ、底板１および袋２の底面の外縁が縫い合わされる。これにより、底板１の長辺から、袋２の正面および背面が連続し、底板１の短辺から、袋２のマチ２ｃが連続する。
【００２０】
そして、この実施の形態では、マチ２ｃの部分が袋２の内側に押し込まれ袋２の幅が底板１の長辺とほぼ同一とされた後で、袋２が折り畳まれるため、折り畳みの際の袋２の縁２ｄは、袋２の底面の頂点から、底板１の長辺に対して垂直な方向に延びる。したがって、袋２は、底面の対向する短辺に沿って縁２ｄ同士を合わせて折り重ねることで折り畳み可能である。そして、この縁２ｄには縫い合わせを有さない。つまり、別の位置（この実施の形態ではマチ２ｃの中央）に縫い合わせ２ｂが配置されるようにしている。
【００２１】
また、図２（Ａ）に示すように、底板１は、折り目１ａを中心にして折り曲げられ、図２（Ｂ）に示すように、折り畳まれた状態の袋２を挟みこむ。そして、伸縮バンド４により、底板１の折り曲げ後に、底板１の一方の端部と他方の端部との間隔が拡がることが防止される。伸縮バンド４は、ゴムなどの伸縮性のある素材で構成され、その両端は、底板１と袋２の底面が縫い合わされる際に併せて縫い込まれ、底板１の一方の端部に底板１の短辺に対して平行に固定される。伸縮バンド４を、固定されていない方の端部に掛けることで底板１の端部が互いに固定される。
【００２２】
ここで、本発明の実施の形態に係る折り畳み式携帯バッグの折り畳みについて説明する。図３は、本実施の形態に係る折り畳み式携帯バッグの折り畳みについて説明する図である。
【００２３】
まず、図３（Ａ）の状態から、マチ２ｃを袋２の内側へ押し込み、図３（Ｂ）の状態とする。そして、図３（Ｃ）に示すように縁２ｄを揃えて、図３（Ｄ）に示すように、正面側の底板１の長辺と背面側の底板１の長辺とに交互に合わせてつづら折りしていき、図３（Ｅ）に示すように袋２を折り畳む。このとき、縁２ｄは、折り重ねられる。その後、図３（Ｆ）に示すように、底板１の折り目１ａを中心に、底板１および畳まれた袋２をまとめて折り曲げた後、図３（Ｇ）に示すように、伸縮バンド４を掛ける。
【００２４】
このようにして、折り畳み式携帯バッグは折り畳まれる。なお、収納時の折り畳まれた状態から使用時の状態へ戻す場合には、図３（Ｇ）から図３（Ａ）へ、上述とは逆の手順で移行させればよい。図３に示すように折り畳み時には、縁２ｄの部分が何重にも重なるが、その部分に縫い合わせがないため、この折り畳み式携帯バッグでは薄さが確保されている。
【００２５】
ここで、本発明の実施の形態に係る折り畳み式携帯バッグの底板１および袋２の詳細な構造について説明する。
【００２６】
最初に、袋２について説明する。図４は、本実施の形態に係る折り畳み式携帯バッグにおける袋２に使用される部品を示す平面図である。
【００２７】
図４（Ａ）に示す部品２１は、袋２を構成するための部品である。逆台形の下辺に袋２の底面を構成するための延出部２１Ａと、上辺に持ち手２ａを構成するための延出部２１Ｂとを有する。図４（Ｂ）に示す部品２２は、部品２１の裏布（袋２の開口部分周辺の裏布）となる部品である。部品２１，２２はそれぞれ２枚用意される。各部品２１，２２は、１枚の布とされる。ただし、２枚の部品２１の代わりに、２枚の部品２１を辺２１ｐで対称に連続させた形状の１枚の布を使用してもよい。
【００２８】
まず、部品２２が外縁２２ａに沿って部品２１へ縫い合わされる。次に、２枚の部品２１の辺２１ｑ同士が縫い合わされ、辺２１ｒ同士が縫い合わされる。これらの縫い合わせは、図１の縫い合わせ２ｂとなる。そして、２枚の部品２１の辺２１ｐが縫い合わされる。辺２１ｐは、袋２の底面中央に位置する。そして、各部品２１の辺２１ａと辺２１ｂが縫い合わされ、辺２１ｃと辺２１ｄが縫い合わされる。これにより、２枚の部品２１の辺２１ａ，２１ｂ、辺２１ｃ，２１ｄ、および辺２１ｓにより囲まれる部分が、袋２の底面となる。また、各部品２１の辺２１ｅと辺２１ｆとが、部品２２の対応箇所とともに縫い合わされる。この縫い合わせが図１の縫い合わせ２ａ２となる。
【００２９】
図５は、図４の部品２１による袋の縫い合わせ部分を説明する図である。図５（Ａ）は斜視図であり、図５（Ｂ）は、上面図である。このように、袋２の側面（正面、背面およびマチ２ｃ）における縫い合わせ２ｂは、底面と垂直な方向でマチ２ｃの中央にのみに存在し、縁２ｄには存在しない。そして、布の２つの端部が面接触している状態で縫い合わされる。収納時には、図５（Ａ）に示すように、縫い合わせ２ｂの部分は袋２の内側に配置される。布の２つの端部は、このときに袋２の内側を向くように縫い合わされる。縫い合わされた布の２つの端部は、袋２の中心を向いているため、縫い合わせ２ｂにて折り返されずに済む。
【００３０】
次に、底板１について説明する。図６は、本発明の実施の形態に係る折り畳み式携帯バッグにおける底板を示す平面図である。
【００３１】
図６に示すように、底板１は、略長方形とされ、中央に折り目１ａ１，１ａ２を形成される。この折り目１ａ１，１ａ２は、図２および図３に示す折り目１ａであって、短辺に対して平行に、かつ底板１の中央に形成される。折り目１ａ１と折り目１ａ２との間隔は、折り畳んだ時の袋２の厚み程度とされる。折り曲げ時には、折り目１ａ１と折り目１ａ２とがそれぞれ約９０度折り曲げられ、２つの折り目１ａ１，１ａ２（折り目１ａ）として約１８０度折り曲げられる。
【００３２】
以上のように、上記実施の形態の折り畳み式携帯バッグは、折り曲げ自在な底板１と、底板１に固定され折り畳み可能な袋２とを有する。収納時（つまりバッグとして使用せず携帯している時）には、折り畳まれた状態の袋２が底板１を折り曲げることで挟み込まれる。そして、底板１は、略長方形の形状を有し、袋２は、略長方形の形状の底面を有し、その底面が底板１に固定される。そして、袋２は、底面の短辺に沿って縁２ｄを折り重ねて折り畳み可能である。そして、この縁２ｄには縫い合わせを有さない。
【００３３】
これにより、縫い合わせ部分は強度確保のため厚みおよび剛性を増す必要があるが、その縫い合わせ部分が縁２ｄになく折り畳み時に重ならずに済み、収納時に薄さが確保される。したがって、このバッグは、携帯性に富むとともに、硬質な底板１によって、収納状態で取り出す際に、他の携帯品に引っかかりにくく、瞬時に取り出すことができる。
【００３４】
また、上記実施の形態によれば、袋２の側面における縫い合わせは、底面と垂直な方向でマチ２ｃの中央にのみ存在し、布の２つの端部が面接触している状態で袋２の内側を向くように縫い合わされている。そして、収納時には、縫い合わせ２ｂの部分は袋２の内側に配置される。
【００３５】
これにより、収納時に縫い合わせ２ｂの部分で折返しが発生せずに済み、収納時に薄さが確保される。例えば、マチ部分を別の布としバッグ正面および背面（持ち手のある面）へ縫い合わせる場合、縁部分の縫い合わせが２箇所できてしまう。しかし、上述のようにすると、縁２ｄ部分に縫い合わせがなく、かつ、布端部の折返しによる厚みの増加も発生しないため、収納時に薄さが確保される。
【００３６】
また、上記実施の形態によれば、袋２は、袋本体とその袋本体から連続する持ち手２ａとを有し、袋本体と持ち手２ａとの連続部分２ａ１は、一様な厚さとされる。特に、持ち手は、袋本体から延びる一連の布で形成されるようにしてもよい。
【００３７】
これにより、収納時に持ち手２ａが袋本体と同様にして折り畳まれ嵩張らずに済むため、収納時に薄さが確保される。
【００３８】
また、上記実施の形態によれば、面ファスナ３は、袋２の内側の面およびその面と対向する面に袋の開口部を閉じて固定する。この面ファスナ３は、袋２を折り畳んだときにその折り目上から外れる位置に設置される。
【００３９】
これにより、面ファスナ３により収納時の厚さが増加することを防ぐことができる。
【００４０】
また、上記実施の形態によれば、伸縮バンド４が、底板の折り曲げ後に、底板の一方の端部と他方の端部との間隔が拡がることを防止する拡がり防止機構として機能する。
【００４１】
これにより、折り畳んだ袋の復元力で底板が折り曲げた後に拡がることを防止でき、収納時に薄さが確保される。
【００４２】
なお、上述の実施の形態は、本発明の好適な例であるが、本発明は、これらに限定されるものではなく、本発明の要旨を逸脱しない範囲において、種々の変形、変更が可能である。
【００４３】
例えば、上記実施の形態では、袋２の底面の外側に底板１を固定しているが、袋２の底面の内側に底板１を固定するようにしてもよい。その場合、袋２の底面の外側が、折り畳んだ後に露出することになる。この場合、２枚の部品２１の代わりに、辺２１ｐで２枚の部品２１を対称に連続させた形状の１枚の布が使用される。これにより、収納時のバッグ表面に縫い合わせが現れることがない。
【００４４】
また、上記実施の形態では、袋２の正面内側と背面内側とを互いに固定するために面ファスナ３を使用しているが、２本のヒモを使用するようにしてもよい。その場合、２本のヒモの一端が袋２の正面内側と背面内側へそれぞれ縫い付けられる。
【００４５】
また、上記実施の形態では、袋２の２つの持ち手２ａは、同位置で縫い合わされて形成されているが、その代わりに、異なる位置で縫い合わされて形成されるようにしてもよい。その場合には、折り畳み時に、縫い合わせ位置が重ならないため、より薄さを確保できる。
【００４６】
また、上記実施の形態において、袋２の折り畳み時のガイド等として縁２ｄに沿って縫い込みを入れるようにしてもよい。その場合、縁２ｄの両脇同士を、縁２ｄが袋２の外側に凸となるように縫い込んでもよい。このような縫い込みを入れても、布の端部同士を縫い合わせるわけではないため、縫いしろを確保したり強度確保のために厚くしたりする必要がない。このため、縁２ｄに起因して折り畳み時の厚さが増加することはほとんどない。
【００４７】
また、上記実施の形態において、袋２の素材は、ナイロン以外の化学繊維（例えばポリエステル）の布、綿布、不織布などとしてもよい。
【００４８】
また、上記実施の形態においては、例えば、図１の状態での袋２の底面から開口部までの高さは３９０ミリメートル程度とされ、図２の状態で、長辺は１６０ミリメートル程度、短辺は１２０ミリメートル程度、厚さは５ミリメートル程度とされる。ただし、この寸法に限定されるものではない。バッグに入れる物が予め決まっている場合には、その物に合わせた寸法としてもよい。ただし、厚さは、５ミリメートル程度から１０ミリメートル程度とされることが好ましい。
【００４９】
また、上記実施の形態においては裏布として部品２２を部品２１に縫い合わせているが、十分な強度が確保できる場合には、裏布として部品２２を部品２１に縫い合わせなくてもよい。
【００５０】
また、上記実施の形態において、袋２の底面を底板１よりやや小さくしてもよい。そのようにすると、袋２を折り畳む際に多少ずれがあっても、収納時に、折り畳まれた袋２が、折り曲げられた底板１からはみ出ることが少なくなる。
【００５１】
また、上記実施の形態においては、袋２を、開口部に近づくにつれて周が長くなる台形状としているが、袋２を、底面から開口部まで周が一定な長方形状としてもよい。
【００５２】
また、上記実施の形態においては、拡がり防止機構として、伸縮バンド４を設けているが、その代わりに、ホックにより、底板１の一方の端部と他方の端部とを互いに固定するようにしてもよい。
【００５３】
また、上記実施の形態において、折り畳み時に露出する平面部分（底板１または袋２の底面）にロゴ、社名、商品名などを印刷してもよい。
【００５４】
また、上記実施の形態では、袋本体と持ち手２ａとの連続部分２ａ１には、縫い目などはなく、布が連続しているが、袋本体と持ち手２ａを別々の布として、連続部分２ａ１で縫い合わせるようにしてもよい。ただし、その場合には、袋本体と持ち手２ａには同一種類の布が使用され、袋本体と持ち手との連続部分２ａ１は、略一様な厚さとなるように縫い合わされる。
【００５５】
また、上記実施の形態では、伸縮バンド４は、底板１へ縫い込まれて固定されているが、その代わりに、リベット止めにより底板１へ固定されるようにしてもよい。
【００５６】
また、上記実施の形態では、底板１は、略長方形であり、完全な長方形でも、面取りされていてもよい。また、底板１は、長方形の一種である正方形でも勿論よい。
【産業上の利用可能性】
【００５７】
本発明は、例えば、買い物用の携帯バッグに適用可能である。
【図面の簡単な説明】
【００５８】
【図１】図１は、本発明の実施の形態に係る折り畳み式携帯バッグの使用時の正面図と側面図である。
【図２】図２は、本発明の実施の形態に係る折り畳み式携帯バッグの収納時の正面図と側面図である。
【図３】図３は、本発明の実施の形態に係る折り畳み式携帯バッグの折り畳みについて説明する図である。
【図４】図４は、本発明の実施の形態に係る折り畳み式携帯バッグにおける袋に使用される部品を示す平面図である。
【図５】図５は、図４の部品による袋の縫い合わせ部分を説明する図である。
【図６】図６は、本発明の実施の形態に係る折り畳み式携帯バッグにおける底板を示す平面図である。
【符号の説明】
【００５９】
１  底板
１ａ，１ａ１，１ａ２  折り目
２  袋
２ａ  持ち手
２ａ１  連続部分
２ｃ  マチ
２ｄ  縁
３  面ファスナ（固定機構）
４  伸縮バンド（拡がり防止機構）
【図１】
2008284084.tif 000003
【図２】
2008284084.tif 000004
【図３】
2008284084.tif 000005
【図４】
2008284084.tif 000006
【図５】
2008284084.tif 000007
【図６】
2008284084.tif 000008